【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
ストリームデータの再生区間を指定する再生区間情報を記録する情報処理装置であって、
前記ストリームデータを構成するソースパケットのシステム時間軸上の不連続点を含まない連続区間を示す連続区間識別情報と、前記ストリームデータの前記再生区間の始点を示す始点時刻情報と、前記再生区間の終点を示す終点時刻情報とを含む前記再生区間情報を記録する記録手段
を有し、
前記始点時刻情報及び前記終点時刻情報は、ともに前記連続区間識別情報により示される前記連続区間上のプレゼンテーションタイムを示す
情報処理装置。
【請求項２】
前記連続区間識別情報は、前記連続区間のうちの１つを示す
請求項１に記載の情報処理装置。
【請求項３】
前記記録手段はさらに、前記ストリームデータを構成する前記ソースパケットのシステム時間上の不連続点を示す不連続点情報を記録する
請求項１に記載の情報処理装置
【請求項４】
前記記録手段はさらに、プレゼンテーションタイムスタンプと、それに対応するアクセスユニットを構成するストリームデータのアドレスとのペアを有するアドレステーブルを記録する
請求項１に記載の情報処理装置。
【請求項５】
前記記録手段はさらに、前記再生区間情報で指定される前記再生区間を有する前記ストリームデータとともに再生される、他のストリームデータの前記再生区間を指定する副再生区間情報を記録し、
前記副再生区間情報は、前記連続区間識別情報と、前記他のストリームデータの前記再生区間の始点を示す前記始点時刻情報と、前記再生区間の終点を示す前記終点時刻情報とを含み、
前記始点時刻情報及び前記終点時刻情報は、ともに前記連続区間識別情報により示される前記連続区間上のプレゼンテーションタイムを示す
請求項１に記載の情報処理装置。
【請求項６】
前記再生区間情報は、１以上の前記再生区間情報を含む再生指定情報に含まれる
請求項１に記載の情報処理装置。
【請求項７】
ストリームデータの再生区間を指定する再生区間情報を記録する情報処理装置の情報処理方法であって、
前記ストリームデータを構成するソースパケットのシステム時間軸上の不連続点を含まない連続区間を示す連続区間識別情報と、前記ストリームデータの前記再生区間の始点を示す始点時刻情報と、前記再生区間の終点を示す終点時刻情報とを含む前記再生区間情報を記録する記録ステップ
を含み、
前記始点時刻情報及び前記終点時刻情報は、ともに前記連続区間識別情報により示される前記連続区間上のプレゼンテーションタイムを示す
情報処理方法。
【請求項８】
ストリームデータの再生区間を指定する再生区間情報を記録する情報処理装置を制御するコンピュータに、
前記ストリームデータを構成するソースパケットのシステム時間軸上の不連続点を含まない連続区間を示す連続区間識別情報と、前記ストリームデータの前記再生区間の始点を示す始点時刻情報と、前記再生区間の終点を示す終点時刻情報とを含む前記再生区間情報を記録する記録ステップ
を実行させるためのプログラムであって、
前記始点時刻情報及び前記終点時刻情報は、ともに前記連続区間識別情報により示される前記連続区間上のプレゼンテーションタイムを示す
プログラムを記録したコンピュータ読み取り可能な記録媒体。
【請求項９】
ストリームデータの再生区間を指定する再生区間情報を記録する情報処理装置を制御するコンピュータに、
前記ストリームデータを構成するソースパケットのシステム時間軸上の不連続点を含まない連続区間を示す連続区間識別情報と、前記ストリームデータの前記再生区間の始点を示す始点時刻情報と、前記再生区間の終点を示す終点時刻情報とを含む前記再生区間情報を記録する記録ステップ
を実行させるためのプログラムであって、
前記始点時刻情報及び前記終点時刻情報は、ともに前記連続区間識別情報により示される前記連続区間上のプレゼンテーションタイムを示す
プログラム。
【請求項１０】
ストリームデータの再生区間を指定する再生区間情報を記録させる制御装置であって、
前記ストリームデータを構成するソースパケットのシステム時間軸上の不連続点を含まない連続区間を示す連続区間識別情報と、前記ストリームデータの前記再生区間の始点を示す始点時刻情報と、前記再生区間の終点を示す終点時刻情報とを含む前記再生区間情報の記録を制御する記録制御手段
を有し、
前記始点時刻情報及び前記終点時刻情報は、ともに前記連続区間識別情報により示される前記連続区間上のプレゼンテーションタイムを示す
制御装置。
【請求項１１】
ストリームデータを再生する情報処理装置であって、
前記ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得手段と、
前記再生区間情報を用いて前記ストリームデータを再生する再生手段と
を有し、
前記始点時刻情報及び前記終点時刻情報は、ともに前記連続区間識別情報により示される前記連続区間上のプレゼンテーションタイムを示す
情報処理装置。
【請求項１２】
ストリームデータを再生する情報処理装置の情報処理方法であって、
前記ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得ステップと、
前記再生区間情報を用いて前記ストリームデータを再生する再生ステップと
を含み、
前記始点時刻情報及び前記終点時刻情報は、ともに前記連続区間識別情報により示される前記連続区間上のプレゼンテーションタイムを示す
情報処理方法。
【請求項１３】
ストリームデータを再生する情報処理装置を制御するコンピュータに、
前記ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得ステップと、
前記再生区間情報を用いて前記ストリームデータを再生する再生ステップと
を実行させるためのプログラムであって、
前記始点時刻情報及び前記終点時刻情報は、ともに前記連続区間識別情報により示される前記連続区間上のプレゼンテーションタイムを示す
プログラムを記録したコンピュータ読み取り可能な記録媒体。
【請求項１４】
ストリームデータを再生する情報処理装置を制御するコンピュータに、
前記ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得ステップと、
前記再生区間情報を用いて前記ストリームデータを再生する再生ステップと
を実行させるためのプログラムであって、
前記始点時刻情報及び前記終点時刻情報は、ともに前記連続区間識別情報により示される前記連続区間上のプレゼンテーションタイムを示す
プログラム。
【請求項１５】
ストリームデータの再生を制御する制御装置であって、
前記ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得手段と、
前記再生区間情報を用いて前記ストリームデータの再生を制御する再生制御手段と
を有し、
前記始点時刻情報及び前記終点時刻情報は、ともに前記連続区間識別情報により示される前記連続区間上のプレゼンテーションタイムを示す
制御装置。
【請求項１６】
ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を有するデータ構造のデータが記録された記録媒体であって、
前記データ構造のデータを取得した情報処理装置により、
前記再生区間情報を用いて前記ストリームデータを再生させる
データ構造のデータが記録された記録媒体。
【手続補正２】
【補正対象書類名】明細書
【補正対象項目名】発明の名称
【補正方法】変更
【補正の内容】
【発明の名称】情報処理装置、情報処理方法、記録媒体、およびプログラム、並びに制御装置
【手続補正３】
【補正対象書類名】明細書
【補正対象項目名】０００１
【補正方法】変更
【補正の内容】
【０００１】
本発明は情報処理装置、情報処理方法、記録媒体、およびプログラム、並びに制御装置に関し、特に、GUIなどに説明表示する情報、主の再生経路の情報、副の再生経路の情報、主の再生経路を構成する個々の再生区間の間の接続情報、ユーザが所望したシーンにセットするブックマークやリジューム点の情報などの情報を含むファイルを記録する情報処理装置、情報処理方法、記録媒体、およびプログラム、並びに制御装置に関する。
【手続補正４】
【補正対象書類名】明細書
【補正対象項目名】００１１
【補正方法】変更
【補正の内容】
【００１１】
本発明の第１の側面の情報処理装置は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む前記再生区間情報を記録する記録手段を有し、前記始点時刻情報及び前記終点時刻情報は、ともに前記連続区間識別情報により示される前記連続区間上のプレゼンテーションタイムを示す。
【手続補正５】
【補正対象書類名】明細書
【補正対象項目名】００１７
【補正方法】変更
【補正の内容】
【００１７】
本発明の第１の側面の情報処理方法は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む前記再生区間情報を記録する記録ステップを含み、前記始点時刻情報及び前記終点時刻情報は、ともに前記連続区間識別情報により示される前記連続区間上のプレゼンテーションタイムを示す。
【手続補正６】
【補正対象書類名】明細書
【補正対象項目名】００１８
【補正方法】変更
【補正の内容】
【００１８】
本発明の第１の側面の記録媒体、またはプログラムは、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む前記再生区間情報を記録する記録ステップをコンピュータに実行させるためのプログラムであって、前記始点時刻情報及び前記終点時刻情報は、ともに前記連続区間識別情報により示される前記連続区間上のプレゼンテーションタイムを示すプログラムを記録したコンピュータ読み取り可能な記録媒体、またはプログラムである。
【手続補正７】
【補正対象書類名】明細書
【補正対象項目名】００１９
【補正方法】変更
【補正の内容】
【００１９】
本発明の第１の側面の制御装置は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む前記再生区間情報の記録を制御する記録制御手段を有し、前記始点時刻情報及び前記終点時刻情報は、ともに前記連続区間識別情報により示される前記連続区間上のプレゼンテーションタイムを示す。
【手続補正８】
【補正対象書類名】明細書
【補正対象項目名】００２１
【補正方法】変更
【補正の内容】
【００２１】
本発明の第２の側面の情報処理装置は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得手段と、前記再生区間情報を用いて前記ストリームデータを再生する再生手段とを有し、前記始点時刻情報及び前記終点時刻情報は、ともに前記連続区間識別情報により示される前記連続区間上のプレゼンテーションタイムを示す。
【手続補正９】
【補正対象書類名】明細書
【補正対象項目名】００２２
【補正方法】変更
【補正の内容】
【００２２】
本発明の第２の側面の情報処理方法は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得ステップと、前記再生区間情報を用いて前記ストリームデータを再生する再生ステップとを含み、前記始点時刻情報及び前記終点時刻情報は、ともに前記連続区間識別情報により示される前記連続区間上のプレゼンテーションタイムを示す。
【手続補正１０】
【補正対象書類名】明細書
【補正対象項目名】００２３
【補正方法】変更
【補正の内容】
【００２３】
本発明の第２の側面の記録媒体、またはプログラムは、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得ステップと、前記再生区間情報を用いて前記ストリームデータを再生する再生ステップとをコンピュータに実行させるためのプログラムであって、前記始点時刻情報及び前記終点時刻情報は、ともに前記連続区間識別情報により示される前記連続区間上のプレゼンテーションタイムを示すプログラムを記録したコンピュータ読み取り可能な記録媒体、またはプログラムである。
【手続補正１１】
【補正対象書類名】明細書
【補正対象項目名】００２４
【補正方法】変更
【補正の内容】
【００２４】
本発明の第２の側面の制御装置は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの前記再生区間を指定する再生区間情報を取得する取得手段と、前記再生区間情報を用いて前記ストリームデータの再生を制御する再生制御手段とを有し、前記始点時刻情報及び前記終点時刻情報は、ともに前記連続区間識別情報により示される前記連続区間上のプレゼンテーションタイムを示す。
【手続補正１２】
【補正対象書類名】明細書
【補正対象項目名】００２６
【補正方法】変更
【補正の内容】
【００２６】
本発明の第３の側面の記録媒体は、ストリームデータを構成するソースパケットのシステム時間軸上の不連続点を含まない連続区間を示す連続区間識別情報と、前記ストリームデータの再生区間の始点を示す始点時刻情報と、前記再生区間の終点を示す終点時刻情報とを含む、前記ストリームデータの再生区間を指定する再生区間情報を有するデータ構造のデータが記録された記録媒体であって、前記データ構造のデータを取得した情報処理装置により、前記再生区間情報を用いて前記ストリームデータを再生させる。
【手続補正１３】
【補正対象書類名】明細書
【補正対象項目名】００２７
【補正方法】変更
【補正の内容】
【００２７】
本発明の第３の側面においては、データ構造のデータを取得した情報処理装置により、再生区間情報を用いてストリームデータを再生させる。